(57)【要約】  パッキンの位置決めを容易に行うことができる防水構造を提供する。本発明の一形態に係る防水構造は、溝部（１１）が形成される第１の筐体（１）と、溝部（１１）に配置されるパッキン（３）と、パッキン（３）を押し込み、第１の筐体（１）とで密閉空間を形成する第２の筐体（２）と、を備え、パッキン（３）は、屈曲部（３２）を有し、第２の筐体（２）で押し込まれていない状態で、屈曲部（３２）の先端と第１の筐体（１）の溝部底面（１８）との接触点（Ｐ）が、屈曲部（３２）の屈曲点（Ｏ）を通り第２の筐体（２）におけるパッキン（３）との接触面と略直交する直線（Ｎ）より、屈曲部（３２）の屈曲方向側に配置され、溝部（１１）は、屈曲部（３２）の先端を第１の筐体（１）の溝部底面（１８）の所定の位置に誘導する誘導部（１６）を有する。
2012086115.tif 000002
【特許請求の範囲】
【請求項１】
溝部が形成される第１の筐体と、
前記溝部に配置されるパッキンと、
前記パッキンを押し込み、前記第１の筐体とで密閉空間を形成する第２の筐体と、を備え、
前記パッキンは、屈曲部を有し、前記第２の筐体で押し込まれていない状態で、前記屈曲部の先端と前記第１の筐体の溝部底面との接触点が、前記屈曲部の屈曲点を通り前記第２の筐体における前記パッキンとの接触面と略直交する直線より、前記屈曲部の屈曲方向側に配置され、
前記溝部は、前記屈曲部の先端を前記第１の筐体の溝部底面の所定の位置に誘導する誘導部を有する防水構造。
【請求項２】
前記誘導部は傾斜面であって、前記パッキンが前記第２の筐体に押し込まれている状態で、前記屈曲部における屈曲方向と逆側の面が接触する請求項１に記載の防水構造。
【請求項３】
前記屈曲部の屈曲方向は、前記第１の筐体の外方に向かっている請求項１又は２に記載の防水構造。
【請求項４】
前記屈曲部の屈曲方向は、前記第１の筐体の内方に向かっている請求項１又は２に記載の防水構造。
【請求項５】
前記屈曲部の屈曲点近傍は、補強されている請求項４に記載の防水構造。
【請求項６】
前記屈曲部の先端は、鋭角に形成されている請求項１乃至５のいずれか１項に記載の防水構造。
【請求項７】
前記屈曲部の先端近傍は、シボ処理されている請求項１乃至６のいずれか１項に記載の防水構造。
【請求項８】
前記屈曲部の先端近傍には、潤滑剤が塗布されている請求項１乃至７のいずれか１項に記載の防水構造。
【請求項９】
前記溝部の底面には、潤滑剤が塗布されている請求項１乃至８のいずれか１項に記載の防水構造。
【請求項１０】
第１の筐体に形成された溝部にパッキンを配置し、
前記パッキンの屈曲部の先端を、前記第１の筐体の誘導部によって当該第１の筐体の溝部底面の所定の位置に誘導して、前記パッキンの屈曲部の先端と前記第１の筐体の溝部底面との接触点を、前記屈曲部の屈曲点を通り前記第２の筐体における前記パッキンとの接触面と略直交する直線より、前記屈曲部の屈曲方向側に配置し、
前記第２の筐体で前記パッキンを押し込み、前記第１の筐体とで密閉空間を形成する防水構造の形成方法。
【発明の詳細な説明】
【技術分野】
【０００１】
本発明は、防水構造及びその形成方法に関し、特に第１の筐体と第２の筐体とで密閉空間を形成するために用いられる防水構造及びその形成方法に関する。
【背景技術】
【０００２】
第１の筐体と第２の筐体とで密閉空間を形成する場合、図１に示すように、第１の筐体１と第２の筐体２との間にパッキン３を配置することが一般的である。つまり、第１の筐体１に形成された溝部１１内にパッキン３が配置される。そして、当該パッキン３を介して第１の筐体１と第２の筐体２とがボルト４で接合される。【０００３】
このような場合、図１１に示すように、パッキン３は第２の筐体２に形成された突出部２１で押し込まれる。なお、図１１では、第２の筐体２の突出部２１で押し込まれていない状態でのパッキン３を示している。そのため、図１１の破線は突出部２１の仮想線である。【０００４】
上述のように、パッキン３が圧縮された際に、パッキン３が大きな反力を発現すると、第２の筐体２が浮き上がる可能性がある。そのため、パッキン３に突出部３１を形成することで、図１２に示すように、パッキン３が第２の筐体２の突出部２１で押し込まれても、当該突出部３１部分が変形して大きな反力が発現しないように工夫している。【０００５】
しかし、パッキン３に突出部３１を形成しても、パッキン３は大きな反力を発現する。そのため、図１１及び図１２に示すように、例えば第１の筐体１に爪部１２を形成している。また、第２の筐体２に爪部２５を形成している。そして、第１の筐体１の爪部１２と第２の筐体２の爪部２５とを噛み合わせることで、当該反力に対抗して第２の筐体２の浮き上がりを防いでいる。このような構成では、相互に爪部を形成するため、筐体の大型化を招く。【０００６】
ところで、特許文献１には、断面形状が上下両端に同一方向に設けられた突出部と、略中央部に当該突出部と同一方向に向けて設けられた中央突出部とを備えるガスケットを用いて、第１の筐体と第２の筐体とで密閉空間を形成する技術が開示されている。
また、特許文献２には、断面形状が略楕円形状の本体部から斜め上方に延びるリップ部を備えるガスケットを用いて、第１の筐体と第２の筐体とで密閉空間を形成する技術が開示されている。
【先行技術文献】
【特許文献】
【０００７】
【特許文献１】特開平１０−１５４７５０号公報
【特許文献２】特開２００６−２２０２２９号公報
【発明の概要】
【発明が解決しようとする課題】
【０００８】
特許文献１及び２の技術は、第１の筐体の溝部に配置されたガスケットを第２の筐体で押し込む際の、当該ガスケットの位置を容易に定めることができない。そのため、第２の筐体の押し込みによって、突出部やリップ部が意図しない方向に曲がる可能性がある。【０００９】
本発明の目的は、上述した課題を解決する防水構造及びその形成方法を提供することにある。
【課題を解決するための手段】
【００１０】
本発明の一形態に係る防水構造は、溝部が形成される第１の筐体と、前記溝部に配置されるパッキンと、前記パッキンを押し込み、前記第１の筐体とで密閉空間を形成する第２の筐体と、を備え、前記パッキンは、屈曲部を有し、前記第２の筐体で押し込まれていない状態で、前記屈曲部の先端と前記第１の筐体の溝部底面との接触点が、前記屈曲部の屈曲点を通り前記第２の筐体における前記パッキンとの接触面と略直交する直線より、前記屈曲部の屈曲方向側に配置され、前記溝部は、前記屈曲部の先端を前記第１の筐体の溝部底面の所定の位置に誘導する誘導部を有する。【００１１】
本発明の一形態に係る防水構造の形成方法は、第１の筐体に形成された溝部にパッキンを配置し、前記パッキンの屈曲部の先端を、前記第１の筐体の誘導部によって当該第１の筐体の溝部底面の所定の位置に誘導して、前記パッキンの屈曲部の先端と前記第１の筐体の溝部底面との接触点を、前記屈曲部の屈曲点を通り前記第２の筐体における前記パッキンとの接触面と略直交する直線より、前記屈曲部の屈曲方向側に配置し、前記第２の筐体で前記パッキンを押し込み、前記第１の筐体とで密閉空間を形成する。
【発明の効果】
【００１２】
本発明によれば、パッキンの位置決めを容易に行うことができる防水構造及びその形成方法を提供することができる。
【図面の簡単な説明】
【００１３】
【図１】一般的な防水構造を概略的に示す構造図である。
【図２】本発明の実施の形態１に係る防水構造における、第２の筐体でパッキンを押し込む前の状態を示す断面図である。
【図３】本発明の実施の形態１に係る防水構造における、第２の筐体でパッキンを押し込んだ後の状態を示す断面図である。
【図４】本発明の実施の形態２に係る防水構造における、第２の筐体でパッキンを押し込む前の状態を示す断面図である。
【図５】本発明の実施の形態２に係る防水構造における、第２の筐体でパッキンを押し込んだ後の状態を示す断面図である。
【図６】本発明の実施の形態３に係る防水構造における、第２の筐体でパッキンを押し込む前の状態を示す断面図である。
【図７】本発明の実施の形態４に係る防水構造における、第２の筐体でパッキンを押し込んだ後の状態を示す断面図である。
【図８】異なる防水構造における、第２の筐体でパッキンを押し込む前の状態を示す断面図である。
【図９】異なる防水構造における、第２の筐体でパッキンを押し込んだ後の状態を示す断面図である。
【図１０】更に異なる防水構造における、第２の筐体でパッキンを押し込んだ後の状態を示す断面図である。
【図１１】関連する防水構造を示す断面図である。
【図１２】関連する防水構造を示す断面図である。
【発明を実施するための形態】
【００１４】
本発明の実施の形態に係る防水構造及びその形成方法について説明する。但し、本発明が以下の実施の形態に限定される訳ではない。また、説明を明確にするため、以下の記載及び図面は、適宜、簡略化されている。また、以下の説明の上下方向は、図面に基づいており、使用形態によって変化する。
【００１５】
＜実施の形態１＞
実施の形態１の防水構造及びその形成方法を説明する。本実施の形態の防水構造及びその形成方法は、例えば携帯電話、スマートフォン、ＰＤＡ（Personal Digital Assistants）、タブレットＰＣ（Personal Computer）等の電子機器の防水構造に好適に用いることができる。
【００１６】
この防水構造は、一般的な防水構造と同様の構成要素を備えている。つまり、防水構造は、図１に示すように、第１の筐体１、第２の筐体２、パッキン３を備えている。
第１の筐体１は、上面（但し、下面でも良い。）に開口部分を有する。第１の筐体１は、例えば内部に電子機器の機能を実現する電子基板や表示装置等を搭載可能な空間１３を有する。この空間１３を取り囲むように、立ち上がり部１４が形成されている。
【００１７】
立ち上がり部１４の上面１５は、図２に示すように、平面に形成されている。立ち上がり部１４は、パッキン３を嵌め込むための溝部１１を形成するのに十分な幅寸法を有する。溝部１１は、立ち上がり部１４に形成されている。溝部１１は、第１の筐体１の外縁を囲むように、平面から見て環状に形成されている。なお、溝部１１の具体的な形状については、後述する。立ち上がり部１４の外方における第１の筐体１の四隅部分には、ボルト孔５が形成されている。
【００１８】
第２の筐体２は、第１の筐体１とで密閉空間を形成するために、第１の筐体１の開口部分を覆う蓋部材である。第２の筐体２は、図２に示すように、第１の筐体１を覆うように配置された際に、少なくとも第１の筐体１の立ち上がり部１４の上面１５と接触する領域２２が、平面に形成されている。そのため、図３に示すように、第２の筐体２で第１の筐体１を覆った際に、第１の筐体１の立ち上がり部１４の上面１５と第２の筐体２の領域２２とは、面接触する。
【００１９】
第２の筐体２は、第１の筐体１と略等しい平面形状に形成されている。第２の筐体２は、図２に示すように、第１の筐体１の溝部１１と対応する位置に、パッキン３を押し込む突出部２１が形成されている。突出部２１も、平面から見て環状に形成されている。そして、突出部２１の下面２３は、領域２２と略平行面を形成する。
【００２０】
突出部２１の幅寸法は、突出部２１を第１の筐体１の溝部１１内に挿入することができるように、設定されている。また、突出部２１の高さは、詳細は後述するが、図２の状態から図３の状態に、パッキン３の屈曲部３２を当該屈曲部３２の屈曲方向（矢印Ｑ方向（第１の筐体１の外方側））に屈曲させることができるように、設定されている。
【００２１】
パッキン３は、図１及び図２等に示すように、第１の筐体１の溝部１１内に配置される。つまり、パッキン３は、第１の筐体１の溝部１１の形状に倣って、環状に形成されている。パッキン３は、例えばゴム等の弾性を有する樹脂成形品である。パッキン３は、図２に示すように、屈曲部３２、基部３３を備えている。
【００２２】
基部３３は、断面視が略矩形状に形成されている。基部３３の下端から屈曲部３２が突出している。詳細には、屈曲部３２は、基部３３の下端における第１の筐体１の内方側の角部から所定の角度で突出する。屈曲部３２は、上方から第２の筐体２の突出部２１で押し込まれた際に、当該屈曲部３２が屈曲方向に回転するように、基部３３との連結部分の厚さが設定されており、その厚さで斜め下方に向かって延在する。つまり、屈曲部３２は、基部３３の下端から舌状に突出している。
【００２３】
屈曲部３２の先端部は、後述するように溝部１１の誘導部１６及び底面１８上を良好に摺動することができるように、丸みを帯びた形状とされている。なお、基部３３の下端には、屈曲部３２の屈曲を阻害しないように、切り欠き部３４が形成されている。
【００２４】
このようなパッキン３は、図２に示すように、パッキン３が溝部１１内に配置され、且つパッキン３が第２の筐体２の突出部２１で未だに押し込まれていない状態で、パッキン３における屈曲部３２の先端と第１の筐体１における溝部１１の底面１８との接触点Ｐは、屈曲部３２の屈曲点（くびれている部分の底部）Ｏを通り第２の筐体２における突出部２１の下面２３と略直交する直線Ｎ上、又は当該直線Ｎより屈曲部３２の屈曲方向側に配置される。
【００２５】
ここで、第１の筐体１の溝部１１の形状を説明する。溝部１１は、図２に示すように、断面視が略矩形状に形成されている。溝部１１の幅寸法は、図３に示すように、パッキン３の屈曲部３２が良好に屈曲方向に回転することができるように、設定されている。また、溝部１１の深さは、当該溝部１１内に配置されたパッキン３が第２の筐体２の突出部２１で押し込まれた際に、基部３３が略圧縮せずに、屈曲部３２が屈曲方向に回転して、当該突出部２１の押し込み量を吸収するように、設定されている。この溝部１１の底部は、パッキン３における屈曲部３２の先端を所定の位置に誘導する誘導部１６を有する。
【００２６】
誘導部１６は、溝部１１における内方側の面１７から底面１８まで連続して下方に向かって傾斜する傾斜面である。誘導部１６と底面１８との交差部Ｃは、図２に示すように、パッキン３における屈曲部３２の屈曲方向を第１の筐体１の外方に向けた状態で当該パッキン３を溝部１１内に配置し、パッキン３の基部３３における屈曲部３２の屈曲方向と逆側の面（本実施の形態では、基部３３における第１の筐体１の内方側の面）３５を溝部１１の内方側の面１７に接触させた際に、パッキン３における屈曲部３２の先端が溝部１１の底面１８に接触する位置に設定される。但し、交差部Ｃは、第１の筐体１の外方側又は内方側にずれていても良く、要するにパッキン３における屈曲部３２が本来の屈曲方向に向かうように誘導することができれば良い。誘導部１６の傾斜角度は、パッキン３を溝部１１内に配置した際に、パッキン３における屈曲部３２の先端を滑らせて誘導することができるように、設定されている。
【００２７】
このような構成の第１の筐体１、第２の筐体２、パッキン３を用いて、以下のように防水構造を実現する。
図２に示すように、パッキン３における屈曲部３２の屈曲方向を第１の筐体１の外方に向けた状態で、パッキン３を第１の筐体１の溝部１１内に配置する。このとき、パッキン３の屈曲部３２の先端は誘導部１６上を摺動して、交差部Ｃに誘導される。また、パッキン３の基部３３における屈曲部３２の屈曲方向と逆側の面３５が溝部１１における第１の筐体１の内方側の面１７に接触した状態となる。つまり、パッキン３が溝部１１における第１の筐体１の内方側の面１７に凭れた状態で位置決めされる。
【００２８】
この状態のパッキン３を第２の筐体２の突出部２１で押し込むことになるが、押し込まれる直前の状態で、屈曲部３２の先端が配置されている交差点Ｃは、当該屈曲部３２の屈曲点Ｏを通り第２の筐体２における突出部２１の下面２３と略直交する直線Ｎ上、又は当該直線Ｎより屈曲部３２の屈曲方向側に配置される。
【００２９】
パッキン３の上方に第２の筐体２の突出部２１を配置する。そして、第２の筐体２の突出部２１でパッキン３を押し込む。すると、パッキン３は、基部３３が殆ど圧縮されずに、屈曲部３２が屈曲方向に回転して、図３に示す状態になる。このとき、パッキン３における屈曲部３２の先端と溝部１１の底面１８との接触点Ｐは、第１の筐体１の外方側に移動すると共に、屈曲部３２における屈曲方向と逆側の面（本実施の形態では、屈曲部３２における第１の筐体１の内方側の面）３６が誘導部１６に接触する。そのため、パッキン３を溝部１１内で安定させることができる。しかも、パッキン３と溝部１１との接触面積を稼ぐことができるので、防水性能を向上させることができる。
最後に、第１の筐体１と第２の筐体２とをボルト４で接合すると、防水構造を実現することができる。
【００３０】
このような防水構造は、パッキン３における屈曲部３２の先端を、誘導部１６によって溝部１１の底面１８における所定の位置（交差点Ｃ）に誘導することができる。そのため、溝部１１内でのパッキン３の位置決めを容易に行うことができる。したがって、パッキン３を第２の筐体２の突出部２１で押し込んだ際に、パッキン３の屈曲部３２が意図しない方向に回転することがない。よって、パッキン３の損傷を防ぐことができ、防水性能に優れた電子機器の生産性を向上させることができる。
【００３１】
しかも、パッキン３の屈曲部３２が回転することで、第２の筐体２の突出部２１の押し込み量を吸収するので、パッキン３は殆ど反力を発現しない。そのため、第１の筐体１及び第２の筐体２は、パッキン３の反力に対抗する必要が殆ど無いので、第１の筐体１及び第２の筐体２を小型化、簡素化することができる。
【００３２】
ちなみに、本実施の形態のパッキン３は、屈曲部３２の屈曲方向を第１の筐体１の外方に向けている。つまり、屈曲部３２は、第１の筐体１の内方に向かって回転し難い。そのため、万一に、第１の筐体１の外部から溝部１１内に水が浸入しても、屈曲部３２が弁の役割を果たして、水の浸入を防ぐことができる。
【００３３】
＜実施の形態２＞
実施の形態１のパッキン３は、屈曲部３２の屈曲方向を第１の筐体１の外方に向けたが、内方に向けても略同様に実施することができる。
【００３４】
つまり、図４に示すように、パッキン３における屈曲部３２の屈曲方向を第１の筐体１の内方側に向けた状態で、パッキン３を第１の筐体１の溝部１１内に配置する。このときも、第１の筐体１における溝部１１の誘導部１６は、パッキン３を第１の筐体１の溝部１１内に配置した際に、パッキン３における屈曲部３２の先端が当該溝部１１の底面における所定の位置に配置されるように形成される。
【００３５】
詳細には、誘導部１６は、溝部１１における第１の筐体１の外方側の面１９から底面１８まで連続して下方に向かって傾斜する傾斜面である。誘導部１６と底面１８との交差部Ｃは、図４に示すように、パッキン３の屈曲部３２を第１の筐体１の内方に向けた状態で当該パッキン３を溝部１１内に配置し、パッキン３の基部３３における屈曲部３２の屈曲方向側の面（本実施の形態では、基部３３における第１の筐体１の内方側の面）３７を溝部１１における第１の筐体１の内方側の面１７に接触させた際に、パッキン３における屈曲部３２の先端が溝部１１の底面１８に接触する位置に設定される。但し、交差部Ｃは、第１の筐体１の外方側又は内方側にずれていても良く、要するにパッキン３における屈曲部３２が本来の屈曲方向に向かうように誘導することができれば良い。
【００３６】
これにより、パッキン３を第１の筐体１の溝部１１内に配置した際に、パッキン３における屈曲部３２の先端を、誘導部１６によって溝部１１の底面１８における所定の位置（交差点Ｃ）に誘導することができる。そして、実施の形態１と同様に、パッキン３を第２の筐体２の突出部２１で押し込むと、パッキン３は、基部３３が殆ど圧縮されずに、屈曲部３２が屈曲方向（矢印Ｒ方向）に回転して、図５に示す状態になる。このとき、パッキン３における屈曲部３２の先端と溝部１１の底面１８との接触点Ｐは、第１の筐体１の内方側に移動すると共に、屈曲部３２における屈曲方向と逆側の面（本実施の形態では、屈曲部３２における第１の筐体１の外方側の面）３６が誘導部１６に接触する。また、パッキン３の基部３３における屈曲部３２の屈曲方向と逆側の面（本実施の形態では、基部３３における第１の筐体１の外方側の面）３５が溝部１１における第１の筐体１の外方側の面１９に接触する。
【００３７】
ちなみに、パッキン３の屈曲部３２を第１の筐体１の内方側に向けて配置した場合、屈曲部３２は第１の筐体１の内方側に向かって回転し易い。そのため、万一に、第１の筐体１の外部から溝部１１内に水が浸入すると、屈曲部３２が水に押されて屈曲方向に回転して、第１の筐体１の内部に水の浸入を許す結果となる。そのため、屈曲部３２の屈曲点Ｏ近傍を肉盛り６等によって補強していることが好ましい。これにより、第１の筐体１の内部への水の浸入を防ぐことができる。
【００３８】
＜実施の形態３＞
実施の形態１及び２のパッキン３における屈曲部３２の先端は、丸みをおびた形状とされているが、図６に示すように、鋭角に形成されていても良い。これにより、屈曲部３２の先端と溝部１１の誘導部１６及び底面１８との接触面積を低減することができ、屈曲部３２の先端が摺動する際の摩擦を低減することができる。
【００３９】
＜実施の形態４＞
実施の形態１乃至３では、第２の筐体２の突出部２１がパッキン３を押し込む構成とされているが、突出部２１を省略して第２の筐体２の下面２４でパッキン３を押し込んでも良い。このとき、パッキン３の高さは、溝部１１の高さより高く設定される。そして、パッキン３は、第２の筐体２の下面２４で押し込まれた際に、図７に示すように、基部３３が殆ど圧縮することなく、屈曲部３２が屈曲方向に回転して、パッキン３の溝部１１からの突出量を吸収するように、設定される。
このような構成により、溝部１１の高さを低くすることができるので、防水構造の厚さ、ひいては電子機器の厚さを薄くすることができる。
【００４０】
本発明は上記実施の形態に限られたものではなく、趣旨を逸脱しない範囲で適宜変更することが可能である。
上記実施の形態では、パッキン３における屈曲部３２の先端の摺動抵抗を低減するために、当該屈曲部３２の先端を、丸みをおびた形状としたり、鋭角に形成したりしたが、この限りでない。つまり、屈曲部３２の先端近傍にシボ処理を施しても良い。シボ処理によって屈曲部３２の先端近傍に凹凸が形成され、溝部１１の誘導部１６及び底面１８との摩擦を低減することができる。
また、屈曲部３２の先端近傍や溝部１１の誘導部１６及び底面１８に油等の潤滑剤を塗布しても良い。さらに屈曲部３２の先端近傍を潤滑剤が含有された材質で構成しても良い。
【００４１】
ちなみに、上述のパッキン３を用いて、以下に示す形態で防水構造を実現することも可能である。
図８及び図９に示す防水構造は、実施の形態１のパッキン３を上下逆に配置している。つまり、パッキン３の屈曲部３２は、図８に示すように、第２の筐体２で押し込まれていない状態で、斜め上方であって、且つ第１の筐体１の外方側（但し、内方側でも良い。）に向かって配置されている。このパッキン３は、図９に示すように、実施の形態４と同様に第２の筐体２の下面２４で押し込まれる。そのため、パッキン３の高さは、第１の筐体１の溝部１１０の高さより高く設定されている。但し、実施の形態１及び２のパッキン３のように、パッキン３を第２の筐体２の突出部２１で押し込んでも良い。
【００４２】
第１の筐体１の溝部１１０は、拘束部１１１、逃げ部１１２を備えている。拘束部１１１には、パッキン３の基部３３が嵌め込まれる。拘束部１１１の幅寸法及び高さは、基部３３を良好に拘束することができるように、設定されている。これにより、パッキン３を溝部１１０の拘束部１１１に嵌め込むだけで、パッキン３を位置決めすることができる。
【００４３】
逃げ部１１２は、パッキン３の屈曲部３２が屈曲方向に回転した際に当該屈曲部３２が溝部１１０に干渉しないように、形成されている。本実施の形態の逃げ部１１２は、拘束部１１１における第１の筐体１の外方側の面１１３から連続するように、斜め上方であって、且つ第１の筐体１の外方側に向かって形成されている。但し、逃げ部１１２の形状は、特に限定されず、要するに屈曲部３２が屈曲方向に回転した際に当該屈曲部３２が溝部１１に干渉しないように形成されていれば良い。
【００４４】
このような第１の筐体１における溝部１１０の拘束部１１１に、パッキン３の屈曲部３２を斜め上方であって、且つ第１の筐体１の外方側に向けた状態で、当該パッキン３の基部３３を嵌め込む。そして、上方から第１の筐体１の開口部分を覆うように第２の筐体２を配置すると、図９に示すように、パッキン３の屈曲部３２が第２の筐体２の下面２４に押し込まれて矢印Ｓ方向に回転し、当該屈曲部３２の先端近傍が溝部１１０の逃げ部１１２に逃げる。このとき、実施の形態１乃至４のパッキン３と異なり、基部３３が上下方向に移動しないので、パッキン３の劣化を低減することができる。しかも、溝部１１０の拘束部１１１の幅寸法は、パッキン３の基部３３と略等しい幅寸法で良いので、実施の形態１乃至４の溝部１１よりも溝部１１０の幅寸法を小さくすることができる可能性がある。
【００４５】
このようにパッキン３を上下逆に用いても、図９に示すようにパッキン３の屈曲部３２が第２の筐体２の下面２４に接触し、しかもパッキン３の基部３３が溝部１１０の拘束部１１１にしっかりと嵌め込まれるので、第１の筐体１の外方からの水の浸入を防止することができる。
【００４６】
ちなみに、図１０に示すように、パッキン３の基部３３から爪部３８を側方に突出させ、当該爪部３８を第１の筐体１に形成した引っ掛け片１２０に引っ掛けて、パッキン３を固定する構成でも良い。これにより、立ち上がり部１４における第１の筐体１の内方側の一部分を省略することができる。
【００４７】
この出願は、２０１０年１２月２１日に出願された日本出願特願２０１０−２８４６２５を基礎とする優先権を主張し、その開示の全てをここに取り込む。
【産業上の利用可能性】
【００４８】
本発明は、例えば携帯電話、スマートフォン、ＰＤＡ（Personal Digital Assistants）、タブレットＰＣ（Personal Computer）等の電子機器の防水構造に好適に用いることができる。
【符号の説明】
【００４９】
１  第１の筐体
２  第２の筐体
３  パッキン
４  ボルト
５  ボルト孔
６  肉盛り
１１  溝部
１２  第１の筐体の爪部
１３  空間
１４  立ち上がり部
１５  立ち上がり部の上面
１６  誘導部
１７  溝部の内方側の面
１８  溝部の底面
１９  溝部の外方側の面
２１  突出部
２２  第２の筐体における第１の筐体の立ち上がり部と接触する領域
２３  突出部の下面
２４  第２の筐体の下面
２５  第２の筐体の爪部
３１  パッキンの突出部
３２  パッキンの屈曲部
３３  パッキンの基部
３４  基部の切り欠き部
３５  基部における屈曲部の屈曲方向と逆側の面
３６  屈曲部における屈曲方向と逆側の面
３７  基部における屈曲部の屈曲方向側の面
３８  パッキンの爪部
１１０  溝部
１１１  拘束部
１１２  逃げ部
１１３  拘束部における第１の筐体に外方側の面
１２０  引っ掛け片
【図１】
2012086115.tif 000003
【図２】
2012086115.tif 000004
【図３】
2012086115.tif 000005
【図４】
2012086115.tif 000006
【図５】
2012086115.tif 000007
【図６】
2012086115.tif 000008
【図７】
2012086115.tif 000009
【図８】
2012086115.tif 000010
【図９】
2012086115.tif 000011
【図１０】
2012086115.tif 000012
【図１１】
2012086115.tif 000013
【図１２】
2012086115.tif 000014
【手続補正書】
【提出日】平成24年3月9日(2012.3.9)
【手続補正１】
【補正対象書類名】特許請求の範囲
【補正対象項目名】全文
【補正方法】変更
【補正の内容】
【特許請求の範囲】
【請求項１】
溝部が形成される第１の筐体と、
前記溝部に配置されるパッキンと、
前記パッキンを押し込み、前記第１の筐体とで密閉空間を形成する第２の筐体と、を備え、
前記パッキンは、屈曲部を有し、
前記溝部は、前記屈曲部の先端を前記第１の筐体の溝部底面の所定の位置に誘導する誘導部を有する防水構造。
【請求項２】
前記誘導部は傾斜面である請求項１に記載の防水構造。
【請求項３】
前記パッキンが前記第２の筐体に押し込まれている状態で、前記誘導部と、前記パッキンの前記屈曲部における屈曲方向と逆側の面とが接触する請求項１又は２に記載の防水構造。
【請求項４】
前記第２の筐体で押し込まれていない状態で、前記屈曲部の先端と前記第１の筐体の溝部底面との接触点が、前記屈曲部の屈曲点を通り前記第２の筐体における前記パッキンとの接触面と略直交する直線（直線を含む）より、前記屈曲部の屈曲方向側に配置される請求項１乃至３のいずれか１項に記載の防水構造。
【請求項５】
前記屈曲部の屈曲方向は、前記第１の筐体の外方に向かっている請求項１乃至４のいずれか１項に記載の防水構造。
【請求項６】
前記屈曲部の屈曲方向は、前記第１の筐体の内方に向かっている請求項１乃至４のいずれか１項に記載の防水構造。
【請求項７】
前記屈曲部の先端は、鋭角に形成されている請求項１乃至６のいずれか１項に記載の防水構造。
【請求項８】
前記屈曲部の先端近傍は、シボ処理されている請求項１乃至７のいずれか１項に記載の防水構造。
【請求項９】
第１の筐体に形成された溝部に屈曲部を有するパッキンを配置し、
前記パッキンの屈曲部の先端を、前記第１の筐体の誘導部によって当該第１の筐体の溝部底面の所定の位置に誘導し、
前記第２の筐体で前記パッキンを押し込み、前記第１の筐体とで密閉空間を形成する防水構造の形成方法。
【請求項１０】
溝部が形成される第１の筐体と、
前記溝部に配置されるパッキンと、
前記パッキンを押し込み、前記第１の筐体とで密閉空間を形成する第２の筐体と、を備え、
前記パッキンは、屈曲部を有し、
前記溝部は、前記屈曲部の先端を前記第１の筐体の溝部底面の所定の位置に誘導する誘導部を有する端末。
【国際調査報告】
2012086115.tif 000015
2012086115.tif 000016